(57)【要約】【課題】地盤に薬液を注入して土質を改良するにあたり、土中の環境負荷の軽減に資するようにする。【解決手段】改良を施す地盤に薬液注入孔を削孔するボーリング工程と、薬液注入孔に薬液注入ガイド用外管を挿入する工程と、外管を通じて地盤に薬液注入を行う工程とを含み、前記外管として生分解性樹脂を用いて成形されたパイプを用い、地盤改良後、外管を埋殺しにする。埋殺しされた外管は、土中の微生物によって生分解され、土中に残存することはない。【選択図】図１
2005113628.tif 000002
【特許請求の範囲】
【請求項１】
改良を施す地盤に薬液注入孔を削孔するボーリング工程と、前記薬液注入孔に薬液注入ガイド用外管を挿入する工程と、前記外管を通じて地盤に薬液注入を行う工程とを含む地盤改良工法であって、
前記外管として生分解性樹脂を用いて成形されたパイプを用い、地盤改良後、埋殺しされる外管が土中にて分解されるようにしたことを特徴とする地盤改良工法。
【発明の詳細な説明】
【技術分野】
【０００１】
本発明は、薬液注入による地盤改良工法に関する。
【背景技術】
【０００２】
地盤掘削工事において、軟弱地盤の補強や安定、或いは構造物基礎部の強化などを目的として、地盤に改良剤である薬液を注入し浸透させて硬化させることにより地盤を強化することが行われている。
この注入工法としては、例えば二重管とダブルパッカーを使用して薬液を注入するスリーブ注入工法が広く実施されている（例えば特許文献１参照）。
【０００３】
【特許文献１】特開２０００−１６０５４７号公報
【発明の開示】
【発明が解決しようとする課題】
【０００４】
スリーブ注入工法を含め、地盤に薬液を注入する従来の何れの工法も、改良を施す地盤に形成した薬液注入用の孔に、周面に薬液噴出口を有する外管を埋め込み、この外管の内側に薬液を供給する内管やダブルパッカー付きの内管を挿入し或いは外管内に薬液を流し入れるなどして、外管を介してその周辺の地盤に薬液を流出させるようにしており、その後、外管は改良された地盤内に埋殺しにされていた。
そして、従来の何れの工法でも、外管として塩ビやＡＢＳ樹脂製の硬質パイプを使用しており、この硬質パイプが地盤改良後も土中に残存するため環境負荷が高かった。
つまり、従来の工法は、地盤を強化することのみに主眼がおかれたものであり、土中の環境対策については何ら考慮されていなかった。
【０００５】
本発明は従来技術の有するこのような問題点に鑑み、地盤に薬液を注入し浸透させて土質を改良するにあたり、土中の環境負荷の軽減に資するようにすることを課題とする。
【課題を解決するための手段】
【０００６】
前記課題を解決するため本発明の地盤改良工法は、改良を施す地盤に薬液注入孔を削孔するボーリング工程と、前記薬液注入孔に薬液注入ガイド用外管を挿入する工程と、前記外管を通じて地盤に薬液注入を行う工程とを含んでおり、前記外管として生分解性樹脂を用いて成形されたパイプを用い、地盤改良後、埋殺しされる外管が土中にて分解されるようにしたことを特徴とするものである。
【０００７】
前記ボーリング工程は、地盤に所定深さの削孔を形成する工程であり、地盤にケーシングを圧入する方法、ケーシング先端に切削歯を取り付けて穿孔する方法など、地盤に所定の深さに孔を形成する適宜な方法や手段が含まれる。先端を閉塞した外管を地盤に直に圧入してもよい。また、前記薬液注入を行う工程は、外管内に内管を通し、この内管に薬液を供給して外管を通じて地盤に流出させる方法や、外管内にダブルパッカー付きの内管を挿入し、ダブルパッカーによって所望の深さ及び位置の地盤に対して薬液を流出させる方法など、外管を通して地盤に薬液を注入させる適宜な方法や手段が含まれる。外管内に直接薬液を流入させ、外管周面に形成された孔から薬液を流出させるようにしてもよい。
【０００８】
本発明によれば、埋殺しされた外管は、土中の微生物によって生分解されるので土中に残存することはなく、従って、土中に埋設された外管が自然界に悪影響を与えることはない。埋設箇所を再び掘削したときでも外管は残存しないので廃棄処理は不要であり、外管を埋設した箇所は土と同様に処理できる。
【発明を実施するための最良の形態】
【０００９】
本発明の好適な実施形態を図面を参照して説明する。
図１は本発明の地盤改良工法の工程を示した図、図２は本発明の地盤改良工法で用いる一例の外管を半面を破断して示した図である。
【００１０】
本発明の地盤改良工法の一実施例としては、図１に示される以下の工程を含んで行われる。
先ず、改良を施す地盤に、先端に切削歯を備えたケーシングパイプ１を圧入するなどして所定深さの削孔を形成する（同図（Ａ））。ケーシングパイプ１が土中に圧入したならば、先端の切削歯はパイプ内側から取り外す。
次いで、ケーシングパイプ１内にスリーブ充填用二重管のうちの外管２をケーシングパイプ１の全長に亘って適宜継ぎ足しながら挿入設置する（同図（Ｂ））。
【００１１】
ここで、外管２には、生分解性樹脂を用いて成形されたスリーブパイプが用いられる。
このスリーブパイプは、例えば図２に示されるように、長さ方向に沿って適当な間隔を開けて複数個の開孔２１ａを周面に設けたパイプ本体２１の外周に、同じく周面に複数個の開孔２２ａを備えていて前記開孔２１ａを覆うようにして生分解性樹脂からなるスリーブ２２を装着して形成することができる。パイプの成形に用いる生分解性樹脂としては、例えばポリ−３−ヒドロキシ酪酸（ＰＨＢ）を構成成分とする脂肪族ポリエステル系生分解性樹脂（三菱ガス化学社製：商品名ビオグリーン）や、１，４−ブタンジオールなどのポリオール類とコハク酸やアジピン酸のような脂肪族ジカルボン酸を主原料として縮合重合により得られた生分解性樹脂（昭和高分子社製：商品名ビオノーレ）などを用いることができ、その他ポリエステル系、ポリアミド系、多糖系、ＰＶＡ系、でんぷんのような天然高分子系などの、各種任意の素材の生分解性樹脂を適宜に選択して用いることができる。
【００１２】
外管２を設置したならば、引き抜きジャッキなどでケーシングパイプ１を削孔から引き抜き、外管２内にダブルパッカー３ａ、３ａを備えた内管３を挿入する（同図(Ｃ））。
そして、内外管２、３を通じて地盤に薬液注入を行う（同図（Ｄ））。
【００１３】
薬液の注入は、外管２内の所望の位置にダブルパッカー３ａ、３ａを位置決めし、内管３内に供給したグラウトなどの薬液をダブルパッカー３ａ、３ａと外管周面の開孔２ａから土中に噴出させ、以降、外管２に沿ってダブルパッカー３ａ、３ａの位置をずらしつつ、同様に前記各開孔２ａを通して外管２の周辺の土中に薬液を噴出し浸透させることにより行われる。
【００１４】
土中に薬液を注入し、地盤改良処理が完了したならば、内管３を外管２から引き抜き、外管２は土中に埋殺しされる。
前述の通り、地盤に埋設された外管２は生分解性樹脂により成形されているので、埋設してから適宜な期間を経過した後、外管２は土中の微生物によって生分解され、土中に残存することはない。生分解に要する期間は、外管２の厚みを変えることなどにより適宜に設定することができる。
【００１５】
なお、図示した形態では、地盤に垂直堀りで削孔を形成して薬液を注入する工程を示したが、本発明は、障害物があるため垂直堀りができず、削孔を斜めにする場合や、地盤に対して水平に削孔を形成する場合などにも適用可能である。また、前述の通り、地盤に所定深さの削孔を形成するボーリング工程及び薬液注入を行う工程は、図示した形態以外の適宜な方法や手段により行うことが可能である。
【図面の簡単な説明】
【００１６】
【図１】本発明の地盤改良工法の工程を示した図である。
【図２】本発明の地盤改良工法で用いる一例の外管を要部を破断して示した図である。
【符号の説明】
【００１７】
１  ケーシングパイプ、２  外管、２１  パイプ本体、２２  スリーブ、３  内管
【図１】
2005113628.tif 000003
【図２】
2005113628.tif 000004